(57)【要約】【課題】テープロールをいちいち交換することなく、新しいテープロールに自動的に順次移行することを可能とするテープの継ぎ構造の提供。【解決手段】全ての段において、内周側先行送り出しタイプでは、下段側に当たるテープロール９の内周側テープ端１３が継ぎ相手の上段側に当たるテープロール９との間から外方に引き出されており、その引き出された内周側テープ端１３に両面テープ２１の一面が貼着され、両面テープ２１の他面は剥離紙２３で覆われた状態になっている。使用する際には、現場で、剥離紙２３を剥がして両面テープ２１の他面が継ぎ相手の外周側テープ端１１’に貼着して、下段のテープロール９の紙テープ７に上段のテープロール９の紙テープ７を継がせる。【選択図】  図５
2019210085.tif 000002
【特許請求の範囲】
【請求項１】
ロール状に巻き回されたテープロールが軸方向を上下にして多段に積み重ねられてなるテープロール積み重ね体におけるテープの継ぎ構造において、
全ての段において、内周側先行送り出しタイプでは、下段側に当たるテープロールの内周側テープ端が継ぎ相手の上段側に当たるテープロールとの間から外方に引き出され、外周側先行送り出しタイプでは、上段側に当たるテープロールの内周側テープ端が継ぎ相手の下段側に当たるテープロールとの間から外方に引き出されており、
その引き出された内周側テープ端に両面テープの一面が貼着され、前記両面テープの他面は剥離紙で覆われた状態になっており、
前記剥離紙を剥がして前記両面テープの他面が前記継ぎ相手の外周側テープ端に貼着されて継がれることを特徴とする継ぎ構造。
【請求項２】
請求項１に記載したテープロール積み重ね体におけるテープの継ぎ構造において、
同じ送り出しタイプのテープロール積み重ね体が複数並列されており、
隣り合う一方のテープロール積み重ね体の最下段のテープロールを下段側に当たるテープロールとし、他方のテープロール積み重ね体の最上段のテープロールを上段側に当たるテープロールとして、上下段と同じように継がれることを特徴とする継ぎ構造。
【請求項３】
請求項１に記載した継ぎ構造を備えたテープロール積み重ね体の形成方法において、
軸方向に分割されたスリーブ状の２つの芯にテープを巻き付けてテープロールにした後に、一方の芯を抜き取り、他方の残された芯が上側にくるように積み重ね、前記他方の芯を抜き取った後に、内周側先行送り出しタイプでは、内周側のテープ端を上側から外方に向かって引き出し、外周側先行送り出しタイプでは、内周側のテープ端を下側から外方に向かって引き出して、前記テープロールの積み重ね作業を完了し、
上記した積み重ね作業の繰り返しにより、テープロールが多段に積み重ねられてなるテープロール積み重ね体を形成することを特徴とする形成方法。
【請求項４】
請求項３に記載したテープロール積み重ね体の形成方法において、
２つの芯を軸方向に間隔をあけた状態で配置し、前記間隔を跨いで２つの芯にテープを巻き付けることを特徴とする形成方法。
【請求項５】
請求項３または４に記載したテープロール積み重ね体の形成方法において、
他方の芯の高さ寸法は、一方の芯の高さ寸法よりも小さく設定されていることを特徴とする形成方法。
【発明の詳細な説明】
【技術分野】
【０００１】
本発明は、複数のテープロールのテープを継いで連続的使用を可能とするテープの継ぎ構造に関するものである。
【背景技術】
【０００２】
特許文献１に記載されているケーブルは複数の電線の周囲に紙テープが巻き付けられ、その紙テープの外周が外皮によって被覆されたものとなっている。このようなケーブルを製造する際には、紙テープがテープロールから送り出されて、複数の電線の周囲に螺旋状に巻き付けられていくようになっている。
【先行技術文献】
【特許文献】
【０００３】
【特許文献１】特開２０１７−１５７５２１号公報
【発明の概要】
【発明が解決しようとする課題】
【０００４】
上記のケーブル製造工程においてテープロールの巻きが無くなると、新しいテープロールに交換する必要があり、テープロールの交換の間はケーブルの製造を中断せざるを得ず、製造効率が悪くなってしまうという問題がある。
【０００５】
本発明は上記従来の問題点に着目して為されたものであり、テープロールをいちいち交換することなく、新しいテープロールに自動的に順次移行することを可能とするテープの継ぎ構造と、この継ぎ構造を備えたテープロール積み重ね体の形成方法を提供することを、その目的とする。
【課題を解決するための手段】
【０００６】
本発明は上記課題を解決するためになされたものであり、請求項１の発明は、ロール状に巻き回されたテープロールが軸方向を上下にして多段に積み重ねられてなるテープロール積み重ね体におけるテープの継ぎ構造において、全ての段において、内周側先行送り出しタイプでは、下段側に当たるテープロールの内周側テープ端が継ぎ相手の上段側に当たるテープロールとの間から外方に引き出され、外周側先行送り出しタイプでは、上段側に当たるテープロールの内周側テープ端が継ぎ相手の下段側に当たるテープロールとの間から外方に引き出されており、その引き出された内周側テープ端に両面テープの一面が貼着され、前記両面テープの他面は剥離紙で覆われた状態になっており、前記剥離紙を剥がして前記両面テープの他面が前記継ぎ相手の外周側テープ端に貼着されて継がれることを特徴とする継ぎ構造である。
【０００７】
請求項２の発明は、請求項１に記載したテープロール積み重ね体におけるテープの継ぎ構造において、同じ送り出しタイプのテープロール積み重ね体が複数並列されており、隣り合う一方のテープロール積み重ね体の最下段のテープロールを下段側に当たるテープロールとし、他方のテープロール積み重ね体の最上段のテープロールを上段側に当たるテープロールとして、上下段と同じように継がれることを特徴とする継ぎ構造である。
【０００８】
請求項３の発明は、請求項１に記載した継ぎ構造を備えたテープロール積み重ね体の形成方法において、軸方向に分割されたスリーブ状の２つの芯にテープを巻き付けてテープロールにした後に、一方の芯を抜き取り、他方の残された芯が上側にくるように積み重ね、前記他方の芯を抜き取った後に、内周側先行送り出しタイプでは、内周側のテープ端を上側から外方に向かって引き出し、外周側先行送り出しタイプでは、内周側のテープ端を下側から外方に向かって引き出して、前記テープロールの積み重ね作業を完了し、上記した積み重ね作業の繰り返しにより、テープロールが多段に積み重ねられてなるテープロール積み重ね体を形成することを特徴とする形成方法である。
【０００９】
請求項４の発明は、請求項３に記載したテープロール積み重ね体の形成方法において、２つの芯を軸方向に間隔をあけた状態で配置し、前記間隔を跨いで２つの芯にテープを巻き付けることを特徴とする形成方法である。
【００１０】
請求項５の発明は、請求項３または４に記載したテープロール積み重ね体の形成方法において、他方の芯の高さ寸法は、一方の芯の高さ寸法よりも小さく設定されていることを特徴とする形成方法である。
【発明の効果】
【００１１】
本発明のテープの継ぎ構造は、軸芯周りにロール状に巻き回されたテープロールが軸芯方向を上下にして多段に積み重ねられてなるテープロール積み重ね体に適用されており、上段のテープロールからのテープの送り出しにより巻きが無くなると、その直ぐ下段のテープロールからのテープの送り出しが自動的に開始される。
【図面の簡単な説明】
【００１２】
【図１】本発明の実施の形態に係るテープロールの形成方法の説明図である。
【図２】図１で形成したテープロールの斜視図である。
【図３】図２の断面図である。
【図４】図２のテープロールの積み重ね作業の説明図である。
【図５】図４の作業により形成されたテープロール積み重ね体の側面図である。
【図６】図５の引き出されたテープ端の加工作業の説明図である。
【図７】図６で加工されたテープロール積み重ね体の現場での継ぎ作業の説明図である。
【図８】図７のテープロール積み重ね体からのテープの送り出しによるテープロール間を跨ぐテープの送り出しのイメージ図である。
【図９】図６のテープロール積み重ね体を複数並べたときの継ぎ作業の説明図である。
【図１０】図４とは別のタイプの積み重ね作業の説明図である。
【図１１】図１０の作業により形成されたテープロール積み重ね体からのテープの送り出しによるテープロール間を跨ぐテープの送り出しのイメージ図である。
【発明を実施するための形態】
【００１３】
本発明の実施の形態に係るテープロール積み重ね体の形成方法を、図面にしたがって説明する。
図１に示すように、巻き取り装置の回転軸１にはスリーブ状の２つの芯、すなわち紙管３、５が間隔Ｃをあけて外嵌され固定されている。紙管３、５の外径は同じになっているが、紙管３の高さ寸法Ｔ１は、紙管５の高さ寸法Ｔ２の１／２に設定されている。また、その間の間隔Ｃを含んで、（Ｔ１＋Ｃ＋Ｔ２）の合計長さ寸法は、巻き取る紙テープ７の幅寸法Ｗとほぼ同じに設定されている。
【００１４】
原反（図示省略）を一定の幅寸法にスリットした上で、巻き取り装置にかけると、回転軸１が軸周りに回転し、間隔Ｃを跨いで、保護紙（図示省略）を介して、紙管３、５に、紙テープ７が巻き付けられてテープロール９が作製される。
図２、図３は、このテープロール９を示しており、紙テープ７の外周側のテープ端１１は、接着剤（図示省略）により仮留めされている。内周側のテープ端１３は紙管３、５に押圧された状態になっており、内周側のテープ端１３の大部分が隠れている。
紙テープ７は紙管３、５に比較的柔らかく巻き付けられており、テープロール９から紙管３、５を手作業で抜き取ることができる。
【００１５】
このテープロール９を多段に積み重ねたテープロール積み重ね体１５を出荷先の装置にセットされる専用のパレット１７（図５参照）の上に形成する。パレット１７上に形成したのは、搬送の容易化のためである。
説明の便宜のために、既に下段が積まれた状態でその直ぐ上段に積み重ねる場合について、図４にしたがってその積み重ね作業を説明する。
【００１６】
先ず、テープロール９（Ｕ）の紙管５を抜き取り、既に先行して積まれた下段のテープロール９（Ｌ）の上に、紙管３が上にくるように積み重ねる。下段のテープロール９（Ｌ）の内周側テープ端１３（Ｌ）は上側から外方に既に引き出されており、上記のようにテープロール９（Ｕ）が積み重ねられることで、その内周側テープ端１３（Ｌ）が下段のテープロール９（Ｌ）と上段のテープロール９（Ｕ）との間から外方に引き出された状態となる。
【００１７】
なお、上段のテープロール９（Ｕ）については、紙管５と紙管３との間には間隔Ｃがあいており、紙管５は縁部が表出しているのでその縁部を掴んで引っ張ることで、容易に引き抜くことができる。また、紙管５を抜き取っても、未だ紙管３が存在しているので、テープロール９（Ｕ）を持ち上げてテープロール９（Ｌ）のところまで運んでもロール形状は安定的に維持される。
【００１８】
その後、テープロール９（Ｕ）の紙管３を紙管５と同様にして上方に抜き取る。そして、保護紙（図示省略）を取り除いた後、テープロール９（Ｕ）の露出した内周側テープ端１３（Ｕ）を摘んで上側から外方に向かって、下段のテープロール９（Ｌ）の内周側テープ端１３（Ｌ）と同じように引き出す。
【００１９】
次は、この積み重ねたテープロール９（Ｕ）を下段とし、その直ぐ上段に後続のテープロール９を上記と同様にして積み重ねていく。
この作業の繰り返しにより、テープロール９、９、……が多段に積み重ねられていき、図５に示すテープロール積み重ね体１５になる。
【００２０】
このテープロール積み重ね体１５を構成するテープロール９、９、……は芯無しで、ロール状に巻き回されている。また、テープロール９、９、……は、軸方向を上下にして同軸状に積み重ねられており、それぞれの内周側テープ端１３、１３、……は外方に引き出されている。
【００２１】
この内周側テープ端１３は、巻き取り装置にかけて所定の回数まで巻き取られた後にカッターによる切断により形成されたものであるが、これに加工を施す。
図６に示すように、内周側テープ端１３は、紙テープ７の幅方向に沿って切断されているが、これを貼着用内周側テープ端１９にする。
両面テープ２１の一方の粘着面を内周側テープ端１３の近傍で斜めに貼着する。そして、この両面テープ２１の縁に沿って、内周側テープ端１３を切断して揃えれば、貼着用内周側テープ端１９になる。
この貼着用内周側テープ端１９は内周側テープ端１３より長くなっており、その部分だけ継ぎ構造を強固にすることができる。
なお、両面テープ２１の他方の粘着面は剥離紙２３に未だ覆われた状態になっている。
【００２２】
一方、継ぎ相手の外周側テープ端１１は、接着剤（図示省略）により仮留めされているが、これを剥がして遊端状態にし、貼着用内周側テープ端１９に貼着された両面テープ２１に端縁部分が重なり合うように斜めに切断されて、外周側テープ端１１’にする。
上記のように、加工を施した上で出荷する。パレット１７に載せられているので、このまま積み重ね形態を崩さずに、メーカー、例えば上記のようなケーブルを製造する電線メーカーに搬送することができる。
【００２３】
メーカーでは、製造装置にかける前に、現場で、テープロール積み重ね体１５の継ぎ作業を行う。
継ぎ作業は、図７に示すように、上下で隣り合うテープロール９（Ｕ）、９（Ｌ）の間で行う。具体的には、テープロール９（Ｌ）側については、外方に引き出された貼着用内周側テープ端１９（Ｌ）の両面テープ２１から剥離紙２３を剥がして粘着面を露出させる。そして、その粘着面にテープロール９（Ｕ）の外周側テープ端１１’（Ｕ）を貼着させて継がせる。
テープロール９、９、……は多段に積み重ねられており、上下で隣り合うテープロール９、９の間で上記の継ぎ作業を行う。最上段と最下段のテープロール９、９以外は、１本のテープロール９に着目すると、上段のテープロール９との関係では下段になり、下段のテープロール９との関係では上段になる。
メーカー側で継ぎ作業を行うことで、現場での状況に応じてテープロール９、９……を必要な分だけ容易に継ぐことができる。
【００２４】
上記の継ぎ作業により、多段のテープロール９、９、……で下段のテープロール９（Ｌ）の紙テープ７を、継ぎ部２５を介して、上段のテープロール９（Ｕ）の紙テープ７に継がせて、連続した長尺の紙テープ７にする。
図８は、継ぎ作業が完了したテープロール積み重ね体１５を、ケーブル製造装置にかけて、紙テープ７が送り出されていく状態のイメージ図であり、上段のテープロール９（Ｕ）の巻きが内周側から無くなっていき、外周側に至ると継ぎ部２５を越えて、下段のテープロール９（Ｌ）から紙テープ７が送り出されていく。
このようにして、多段のテープロール９、９、……から紙テープ７が連続的に送り出される。
上記のタイプは、テープロール９について常に内周側から先行して送り出されており、これを「内周側先行送り出しタイプ」と表現する。
【００２５】
図９は、テープロール積み重ね体１５、１５が二つ並列されており、一方のテープロール積み重ね体１５の最下段のテープロール９の外周側テープ端１１’と、他方のテープロール積み重ね体１５の最上段のテープロール９の貼着用内周側テープ端１９との間で継ぎ作業が行われている。
複数のパレット１７を用意し、そこにそれぞれテープロール積み重ね体１５を載せ、上記したように継がせておくことで、巻きの無くなったパレット１７を取り外し、紙テープ７が連なったテープロール積み重ね体１５が載ったパレット１７を新たにセットすることで、長時間にわたる送り出し作業を実施する際にも、その中断時間をカセットの交換時間だけにすることができる。
【００２６】
上記では、「内周側先行送り出しタイプ」が記載されているが、これとは対照的に、継ぎ構造を「外周側先行送り出しタイプ」に適用することも可能である。
この「外周側先行送り出しタイプ」でも、図４の「内周側先行送り出しタイプ」と同様にテープロール９を積み重ねており、図１０に示すように、テープロール９（Ｕ）の片側を少し持ち上げて隙間Ｇを作り出すと共に、露出した内周側テープ端１３（Ｕ）を摘んで引き出し、その隙間Ｇから外方に向かって引き出す。そして、テープロール９（Ｕ）を下ろして、テープロール９（Ｌ）に重ね合せれば、このテープロール９（Ｕ）についての作業は完了する。
【００２７】
次は、この積み重ねたテープロール９（Ｕ）を下段とし、その直ぐ上段に後続のテープロール９を上記と同様にして積み重ねていく。この作業の繰り返しにより、テープロール９、９、……が多段に積み重ねられていく。
図１１に示すように、このタイプでは、上段に当たるテープロール９の貼着用内周側テープ端１９が下段に当たるテープロール９の外周側テープ端１１’に継がれて継ぎ部２５になっており、上段のテープロール９（Ｕ）の巻きが外周側から無くなっていき、内周側に至ると継ぎ部２５を超えて、下段のテープロール９（Ｌ）から紙テープ７が送り出される。
【００２８】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００２９】
１…回転軸      ３…紙管      ５…紙管          ７…紙テープ  ９…テープロール
１１、１１’…外周側テープ端  １３…内周側テープ端
１５…テープロール積み重ね体（内周側先行送り出しタイプ）      １７…パレット
１９…貼着用内周側テープ端    ２１…両面テープ  ２３…剥離紙  ２５…継ぎ部
Ｃ…間隔        Ｇ…隙間
【図１】
2019210085.tif 000003
【図２】
2019210085.tif 000004
【図３】
2019210085.tif 000005
【図４】
2019210085.tif 000006
【図５】
2019210085.tif 000007
【図６】
2019210085.tif 000008
【図７】
2019210085.tif 000009
【図８】
2019210085.tif 000010
【図９】
2019210085.tif 000011
【図１０】
2019210085.tif 000012
【図１１】
2019210085.tif 000013